(57)【要約】【課題】  外観面がその後方の機械構造との結合により押し出し変形を招き、該外観面に皺が生じる状況を回避する。【解決手段】  本発明が提供する空中懸架式ナットを有する明面構造は、本体と、少なくとも１つのナットと、少なくとも１つの支持部を含む。そのうち、該本体は、結合部及び少なくとも１つの外観面を含み、該外観面は、滑らかな明面を有する。該ナットは、該結合部の一側に設置される。該支持部は、該ナットと該本体の間に設置され、該ナットを該支持部により該結合部に固定設定させる。これにより、螺子により該ナットに螺合する時、該螺子が該本体及び該結合部に接触せず、該外観面が押し出し変形を発生しないようにする。【選択図】  図２Ａ
2011099528.tif 000002
【特許請求の範囲】
【請求項１】
結合部と、少なくとも１つの外観面を含み、前記外観面が滑らかな明面を有する本体と、
前記結合部の一側に設置される少なくとも１つのナットと、
前記ナット及び前記本体の間に設置される少なくとも１つの支持部と、
を含み、前記ナットを前記支持部により前記結合部に固定設定させ、前記支持部が中空の構造であり、
これにより、螺子により前記ナットに螺合する時、前記螺子が前記本体及び前記結合部に接触せず、前記外観面が押し出し変形を発生しないようにする空中懸架式ナットを有する明面構造。
【請求項２】
前記明面構造が更に少なくとも１つの緩衝板を含み、前記緩衝板が前記ナット及び前記結合部に接続し、前記ナットの撓みを低減する請求項１に記載の空中懸架式ナットを有する明面構造。
【請求項３】
前記支持部は、少なくとも１つの副支持板を含み、前記副支持板が前記支持部から前記ナットまで延伸し、前記ナットを固定する請求項１に記載の空中懸架式ナットを有する明面構造。
【請求項４】
前記支持部は、更に少なくとも１つの第１支持板及び少なくとも１つの第２支持板を含み、前記第１支持板が第１方向上に設置され、前記ナットの前記第１方向の振動を防止し、前記第２支持板が第２方向上に設置され、前記ナットの前記第２方向の振動を防止する請求項１に記載の空中懸架式ナットを有する明面構造。
【発明の詳細な説明】
【技術分野】
【０００１】
本発明は、明面構造及び該明面構造を応用したディスプレイに関し、特に空中懸架式ナットを有する明面構造及びディスプレイに関する。
【背景技術】
【０００２】
社会の進歩に伴い、人々は、美観的な要求が益々多くなり、滑らかな明面に対する要求の標準も益々厳格になっている。例を挙げれば、日常用品中の平面ディスプレイは、人々が非常に滑らかな明面を有していなければならないと要求する製品の1種である。平面ディスプレイが呈するものは、精巧な画面を有するだけでなく、更に、その前殻及び底台が呈する全体の造型及び設計を含んでいる。従って、該平面ディスプレイは、その前殻に通常、焼き付け又は明面処理を施す。
【０００３】
しかしながら、前殻の表面箇所に焼き付け又は明面処理を施しても依然として前殻後方の機械構造箇所の押し出しを除去することができず、前殻表面に皺痕跡が生じる。図１は、公知の平面ディスプレイの前殻の結合説明図である。図に示すように、平面ディスプレイ（図示せず）の前殻９は、結合部９１１及び外観面９１２を包括し、該結合部９１１上にナット９２を設置する。該前殻９及び平面ディスプレイのその他の部材を組み立て固定する為、通常、螺子９５が該ナット９２に螺合する時、該螺子９５は、該ナット９２と緊密に噛み合うので、該螺子９５は、該ナット９２基部の材料を押し出し、該結合部９１１の該ナット９２と相互に接続する箇所に材料構造の変形を発生させ、該外観面９１２が押し出され変形し、皺９６を発生し、該前殻９の美観に影響を及ぼす。該前殻９の厚さを増加することにより該皺９６の状況を減少することができるが、厚さの増加は、使用する材料を増加する必要があり、コストの低減に不利である。
【０００４】
また、該皺９６は、顕著ではないが、該平面ディスプレイをリビング又は展覧会場に置いた場合、明るい大型な灯具により光線を平面ディスプレイ上に投射する時、人々は、皺９６をはっきりと見ることができ、平面ディスプレイの美観及び全体の質感に影響を及ぼす。
【０００５】
平面ディスプレイ以外に、高級食器棚、携帯電話、腕時計等の機械構造の組み合わせを利用し、且つ表面の滑らかな明面の効果を重視した製品は、何れも同一の問題を有する。従って、この種の螺子９５及びナット９２の組み合わせによりその表面に皺９６を発生する現象を以下に解消するかが、当業者の課題である。
【発明の概要】
【発明が解決しようとする課題】
【０００６】
本発明の目的は、外観面がその後方の機械構造との結合により押し出し変形を招き、該外観面に皺が生じる状況を回避することにある。
【課題を解決するための手段】
【０００７】
上記目的を達成する為、本発明が提供する空中懸架式ナットを有する明面構造は、本体と、少なくとも１つのナットと、少なくとも１つの支持部を含む。そのうち、該本体は、結合部及び少なくとも１つの外観面を含み、該外観面は、滑らかな明面を有する。該ナットは、該結合部の一側に設置される。該支持部は、該ナットと該本体の間に設置され、該ナットを該支持部により該結合部に固定設定させる。これにより、螺子により該ナットに螺合する時、該螺子が該本体及び該結合部に接触せず、該外観面が押し出し変形を発生しないようにする。
【０００８】
上記空中懸架式ナットの明面構造は、そのうち、該支持部が中空の構造である。
【０００９】
上記空中懸架式ナットの明面構造は、そのうち、該明面構造又は該ディスプレイが更に少なくとも１つの緩衝板を含み、該緩衝板は、該ナット及び該結合部に接続詞、該ナットの撓みを低減し、且つ該本体と、該ナットと、該支持部と、該緩衝板と、が一体に成型した構造である。
【００１０】
上記空中懸架式ナットの明面構造は、そのうち、該外観面は、焼き付け、研磨又は鏡面処理の方式で該外観面に滑らかな明面を呈させる。
【００１１】
上記空中懸架式ナットの明面構造は、そのうち、該支持部は、少なくとも１つの副支持板を含み、該副支持板が該支持部から該ナットまで延伸し、該ナットを固定する。
【００１２】
上記空中懸架式ナットの明面構造は、そのうち、該副支持板が複数個であり、且つ該支持板が該ナット周辺に設置され、該ナットを固定する。
【００１３】
上記空中懸架式ナットの明面構造は、そのうち、該支持部が更に、少なくとも１つの第１支持板及び少なくとも１つの第２支持板を含み、該第１支持板は、第１方向上に設置され、該ナットの該第１方向上の振動を防止し、該第２支持板は、第２方向上に設置され、該ナットの該第２方向上の振動を防止する。該第１方向及び該第２方向は、相互に垂直である。
【発明の効果】
【００１４】
本発明の空中懸架式ナットを有する明面構造は、本体の厚さを増加しない条件において、簡単な構造を利用し、螺子の結合が発生する押し出し変形を解消し、該本体の外観面に滑らかな明面を維持させ、皺を発生させない。且つ、この特性に基づき、本発明の空中懸架式ナットを有する明面構造を高級食器棚、腕時計、携帯電話、テレビ、冷蔵庫、車両外殻の板金、洗濯機、電話、玩具、模型、携帯式パソコン、テーブル、いす、食器、車両のライト、音響、スピーカ等の外観の平滑を重視する商品に応用され、前記商品に高い質感を持たせる。
【図面の簡単な説明】
【００１５】
【図１】公知の平面ディスプレイの前殻の結合説明図である。
【図２Ａ】本発明の第１実施例の前殻の説明図である。
【図２Ｂ】本発明の第１実施例の前殻の結合説明図である。
【図３】本発明の第２実施例の前殻の説明図である。
【図４】本発明の第３実施例の前殻の説明図である。
【図５】本発明の第４実施例の前殻の説明図である。
【図６】本発明の第５実施例の前殻の説明図である。
【図７】本発明の第６実施例の前殻の説明図である。
【発明を実施するための形態】
【００１６】
本発明の目的、特徴及び効果を分かり易くする為、以下に具体的実施例を挙げ、図面に併せて本発明を詳細に説明する。
【００１７】
当業者に本発明の効果を理解させる為、以下の実施例は、人々の日常用品のディスプレイにより本発明の技術的特徴を紹介する。図２Ａ、図２Ｂを同時に参照し、図２Ａは、本発明の第１実施例の前殻の説明図であり、図２Ｂは、本発明の第１実施例の前殻の結合説明図である。図に示すように、該ディスプレイ（図示せず）は、前殻１を含み、該前殻１は、角箇所に本体１１と、ナット１２と、支持部１３と、２つの緩衝板１４と、を含む。そのうち、該本体１１は、結合部１１１及び外観面１１２を含み、該外観面１１２は、焼き付け、研磨又は鏡面処理の方式により、該外観面１１２に滑らかな明面（bright-surface）を呈させるものである。該結合部１１１は、該外観面１１２と相対し、該ディスプレイのその他の部材と結合することに用い、該ナット１２を該結合部の一側に設置する。該支持部１２は、中空の構造であり、該ナット１２と該本体１１との間に設置され、該ナット１２を空中懸架設置させ、且つ該支持部１３により該結合部１１１の上に固定設置される。これにより、螺子１５により該空中懸架設置したナット１２に螺合する時、該螺子１５が該本体１１及び該結合部１１１に接触せず、該前殻１の外観面１１２が図１の公知構造のように押し出し変形を発生することがなく、滑らかな明面を維持することができる。また、緩衝板１４が該ナット１２及び該結合部１１１に接続し、該ナット１２の撓みを低減し、該ナット１２の左右の振動を防止する。
【００１８】
上記のように、該本体１１と、該ナット１２と、該支持部１３と、該緩衝板１４と、が一体に成型される構造であることができる。
【００１９】
続いて、本発明の空中懸架式ナット（screw nut suspended in midair）を有するディスプレイのその他の実施例を紹介する。図３は、本発明の第２実施例の前殻の説明図である。図３に示すように、該前殻２は、本体２１と、ナット２２と、支持部２３と、を含む。そのうち、該本体２１は、結合部２１１を含み、該結合部２１１は、該ディスプレイ（図示せず）のその他の部材と結合することに用いるものである。該ナット２２は、空中懸架設置され、該支持部２３により該結合部２１１の上に固定設置される。該支持部２３上に更に、３つの副支持板２３１を含み、該副支持板２３１は、該支持部２３から該ナット２２まで延伸し、該ナット２２の周辺に固定設置され、該ナット２２を固定する。これにより、該前殻２及びディスプレイのその他の部材が結合する時、該本体２１の内部において、押し出し変形の状況を発生せず、このように、前記の効果を達成する。
【００２０】
この外に、本発明の空中懸架式ナットを有するディスプレイは、緩衝板及び副支持板を同時に１つに設計することができる。図４は、本発明の第３実施例の前殻の説明図である。図４に示すように、該前殻３は、本体３１と、ナット３２と、支持部３３と、緩衝板３４と、を含む。そのうち、該本体３１は、結合部３１１を含み、該支持部３３は、該ナット３２及び該結合部３１１の間に設置される。また、本実施例は、該支持部３３上に、２つの副支持板３３１を更に設置し、該２つの副支持板３３１は、該支持部３３から該ナット３２まで延伸し、該ナット３２を固定する。該ナット３２近傍に更に、２つの緩衝板３４を設置し、２つの緩衝板３４を該ナット３２及び該結合部３１１に接続させ、該ナット３２の左右の振動を防止することに用いる。これにより、本発明の空中式懸架ナットを有するディスプレイは、前記の効果を達成することができる。
【００２１】
以下、更に、その他の型式の実施例を紹介する。図５は、本発明の第４実施例の前殻の説明図である。図５に示すように、該前殻４は、本体４１と、ナット４２と、支持部４３と、を含み、該支持部４３は、該ナット４２及び該本体４１の結合部４１１の間に設置され、該ナット４２を空中懸架設置させる。本実施例の支持部４３は、更に第１支持板４３１及び２つの第２支持板４３２を含み、該第１支持板４３１は、左右の方向に設置され、該ナット４２の左右方向の振動を防止する。該２つの第２支持板４３２は、上下の方向に設置され、該ナット４２の上下の方向の振動を防止する。図に示すように、該第１支持板４３１の左右方向は、該第２支持板４３２の上下方向と垂直である。
【００２２】
図６は、本発明の第５実施例の前殻の説明図である。図６に示すように、該前殻５は、本体５１と、ナット５２と、支持部５３と、を含み、該本体５１は、結合部５１１を含む。そのうち、該支持部５３は、該ナット５２及び該本体５１の結合部５１１の間に設置され、該ナット５２を空中懸架設置させ、該支持部５３により該結合部５１１に固定設置される。これにより、本発明の空中懸架式ナットを有するディスプレイは、前記の効果を達成することができる。
【００２３】
図７は、本発明の第６実施例の前殻の説明図である。図７に示すように、該前殻６は、本体６１と、ナット６２と、支持部６３と、を含み、該支持部６３は、該ナット６２及び該結合部６１１の間に設置され、該ナット６２を空中懸架設置させる。該支持部６３は、２つの第１支持板６３１及び２つの第２支持板６３２から構成され、且つ該第１支持板６３１及び該第２支持板６３２は、直交して設置され、該ナット６２の前後左右方向の振動を防止する。
【００２４】
上記実施例は、何れもディスプレイにより紹介を行ったが、当業者は、本発明の本体、ナット及び支持部を結合し、空中懸架式ナットの明面構造とし、該明面構造を該滑らかな明面が要求される製品（例えば、高級食器棚、腕時計、携帯電話、テレビ、冷蔵庫、洗濯機、電話、車両外殻板金、玩具、模型、携帯式パソコン、テーブル、いす、食器、車両ライト、音響、スピーカ等）上に応用することができる。但し、この種の応用は、何れも本発明が含む範囲である。
【００２５】
上記のように、本発明の空中懸架式ナットを有する明面構造及びディスプレイは、本体の厚さを増加しない条件において、簡単な構造設計を利用し、螺子結合が発生する押し出し変形を解消し、該本体の外観面に滑らかな明面を維持させ、皺を発生しない。従って、本発明の空中懸架式ナットの明面構造を有する製品を使用し、その外観面の美観及び全体の質感を保持することができる。
【００２６】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２７】
＜公知技術＞
９  前殻
９１１  結合部
９１２  外観面
９２  ナット
９５  螺子
９６  皺
＜本発明＞
１，２，３，４，５，６  前殻
１１，２１，３１，４１，５１，６１  本体
１１１，２１１，３１１，４１１，５１１，６１１  結合部
１１２  外観面
１２，２２，３２，４２，５２，６２  ナット
１３，２３，３３，４３，５３，６３  支持部
２３１，３３１  副支持部
４３１，６３１  第１支持板
４３２，６３２  第２支持板
１４，３４  緩衝板
１５  螺子
【図１】
2011099528.tif 000003
【図２Ａ】
2011099528.tif 000004
【図２Ｂ】
2011099528.tif 000005
【図３】
2011099528.tif 000006
【図４】
2011099528.tif 000007
【図５】
2011099528.tif 000008
【図６】
2011099528.tif 000009
【図７】
2011099528.tif 000010